(57)【要約】【課題】  分割状態とされた所定の蓋体に収納機能を有する把手を設けることにより、各蓋体を浴室内の所望位置に厚みを薄くした状態ですっきりと載置し得ると共に、各蓋体の取り外しを容易に行い得る風呂蓋及びその載置構造を提供する。【解決手段】  浴槽の上縁フランジ上に置かれる分割状態とされた複数の蓋体からなる風呂蓋であって、蓋体のうちの少なくとも一つの蓋体の外周端部に、指掛け部を有すると共に他の蓋体の外周端部を収納し得る把手を設けたことを特徴とする。前記把手は、他の蓋体の板厚合計に略相当する内部寸法の断面略コ字状に形成され、また把手が設けられる蓋体は、把手が設けられない他の外周端部に、把手内に収納された他の蓋体を保持する保持手段が設けられる。【選択図】  図４
2006149908.tif 000002
【特許請求の範囲】
【請求項１】
浴槽の上縁フランジ上に置かれる分割状態とされた複数の蓋体からなる風呂蓋であって、
前記蓋体のうちの少なくとも一つの蓋体の外周端部に、指掛け部を有すると共に他の蓋体の外周端部を収納し得る把手を設けたことを特徴とする風呂蓋。
【請求項２】
前記把手は、他の蓋体の板厚合計に略相当する内部寸法の断面略コ字状に形成されていることを特徴とする請求項１に記載の風呂蓋。
【請求項３】
前記把手は、各蓋体の外周端部にその幅が順次異なるようにそれぞれ設けられ、最大幅を有する把手内に他の蓋体の把手が嵌入されて収納されることを特徴とする請求項１に記載の風呂蓋。
【請求項４】
前記把手が設けられる蓋体は、把手が設けられない他の外周端部に、把手内に収納された他の蓋体を保持する保持手段が設けられていることを特徴とする請求項１ないし３のいずれかに記載の風呂蓋。
【請求項５】
前記把手に水切り手段が設けられていることを特徴とする請求項１ないし４のいずれかに記載の風呂蓋。
【請求項６】
浴槽の上縁フランジ上に置かれる風呂蓋を複数の分割状態の蓋体で形成し、その少なくとも一つの蓋体の外周端部に指掛け部を有する断面略コ字状の把手を設け、各蓋体を上縁フランジ上から取り外した際に、前記把手内に他の蓋体の外周端部を嵌入した状態で把手の底面を浴室の所定の平面上に載置することを特徴とする風呂蓋の載置構造。
【請求項７】
前記把手及び又は浴室の所定の平面上に、各蓋体の転倒防止手段と位置決め手段の少なくとも一方が設けられていることを特徴とする請求項６に記載の風呂蓋の載置構造。
【発明の詳細な説明】
【技術分野】
【０００１】
本発明は、例えばシステムバスルーム等の浴室において、浴槽の上縁フランジ上に置かれて使用される風呂蓋及びその載置構造に関する。
【背景技術】
【０００２】
従来、浴槽の上縁フランジ上には、浴槽内の湯の温度低下等を防止する目的で風呂蓋が置かれるが、この風呂蓋としては、例えば特許文献１に示すものが知られている。この風呂蓋は、外周がエラストマーで囲まれた２枚以上の分割板によって形成されており、非入浴時等における浴槽へのセット時には、各分割板を併設して浴槽の上縁フランジ上に置き、入浴時等においては、浴槽の上縁フランジに突出形成された段差を有する２個所の突条に各分割板を立て掛けて載置するようにしている。
【特許文献１】特開２００４−２３７０６５号公報
【発明の開示】
【発明が解決しようとする課題】
【０００３】
しかしながら、このような風呂蓋にあっては、浴槽の上縁フランジ上に設けた突条に各分割板を立て掛けるため、分割板とは別体の突条を別途成形し、これを浴槽の上縁フランジの所定位置に固定する必要がある上、分割板の立て掛ける位置が突条の位置に特定されて、例えば上縁フランジ等の任意の位置に立て掛けたりして載置することが困難となる。また、各分割板に把手が設けられていないため、セット状態の各分割板の上縁フランジ上からの取り外しが面倒となり易い。そこで、この取り外しの面倒さを解消するために、各分割板の表面中央部分等に把手を設けることも考えられるが、この場合は、各分割板の表面から把手が所定寸法突出する状態となって、各分割板を立て掛けたりする時に把手が邪魔になるため、厚みを薄くすることが困難で各分割板をすっきりと見栄え良く載置することが難しい。
【０００４】
本発明は、このような事情に鑑みてなされたもので、その目的は、分割状態とされた所定の蓋体に収納機能を有する把手を設けることにより、各蓋体を浴室内の所望位置に厚みを薄くした状態ですっきりと載置し得ると共に、各蓋体の取り外しを容易に行い得る風呂蓋及びその載置構造を提供することにある。
【課題を解決するための手段】
【０００５】
かかる目的を達成すべく、本発明のうち請求項１に記載の風呂蓋は、浴槽の上縁フランジ上に置かれる分割状態とされた複数の蓋体からなる風呂蓋であって、前記蓋体のうちの少なくとも一つの蓋体の外周端部に、指掛け部を有すると共に他の蓋体の外周端部を収納し得る把手を設けたことを特徴とする。
【０００６】
そして、前記把手は、請求項２に記載の発明のように、他の蓋体の板厚合計に略相当する内部寸法の断面略コ字状に形成されていることが好ましく、また、請求項３に記載の発明のように、各蓋体の外周端部にその幅が順次異なるようにそれぞれ設けられ、最大幅を有する把手内に他の蓋体の把手が嵌入されて収納されることが好ましい。
【０００７】
また、前記把手が設けられる蓋体は、請求項４に記載の発明のように、把手が設けられない他の外周端部に、把手内に収納された他の蓋体を保持する保持手段が設けられていたり、請求項５に記載の発明のように、前記把手に水切り手段が設けられていることが好ましい。
【０００８】
さらに、請求項６に記載の風呂蓋の載置構造は、浴槽の上縁フランジ上に置かれる風呂蓋を複数の分割状態の蓋体で形成し、その少なくとも一つの蓋体の外周端部に指掛け部を有する断面略コ字状の把手を設け、各蓋体を上縁フランジ上から取り外した際に、前記把手内に他の蓋体の外周端部を収納した状態で把手の底面を浴室の所定の平面上に載置することを特徴とする。そして、この場合、請求項７に記載の発明のように、前記把手及び又は浴室の所定の平面上に、各蓋体の転倒防止手段と位置決め手段の少なくとも一方が設けられていることが好ましい。
【発明の効果】
【０００９】
本発明のうち請求項１に記載の風呂蓋によれば、浴槽の上縁フランジ上に置かれる分割状態とされた複数の蓋体のうち、少なくとも一つの蓋体の外周端部に、指掛け部を有すると共に他の蓋体の外周端部を収納し得る把手が設けられているため、把手を手で持つことにより蓋体の浴槽に対する取り外しやセットを容易に行うことができると共に、把手内に各蓋体を収納してその厚みを薄くした状態で浴槽の上縁フランジ上等の浴室内の所定位置にすっきりと載置することができる。
【００１０】
また、請求項２に記載の発明によれば、請求項１に記載の発明の効果に加え、把手が他の蓋体の板厚合計に略相当する内部寸法の断面略コ字状に形成されているため、断面略コ字状の把手内に取り外した他の蓋体の表裏面を略密着した状態で収納できて、各蓋体に安定した収納状態を得ることができる。
【００１１】
また、請求項３に記載の発明によれば、請求項１に記載の発明の効果に加え、把手が各蓋体の外周端部にその幅が順次異なるようにそれぞれ設けられ、最大幅を有する把手内に他の蓋体の把手が嵌入されて収納されるため、分割状態の各蓋体にそれぞれ把手を設けることができて、各蓋体の浴槽に対する取り外しやセットを一層容易に行うことができる。
【００１２】
また、請求項４に記載の発明によれば、請求項１ないし３に記載の発明の効果に加え、把手が設けられる蓋体の把手が設けられない外周端部に、把手内に収納された他の蓋体を保持する保持手段が設けられているため、保持部により他の蓋体を確実に収納できて、各蓋体に一層安定した収納状態を得ることができる。
【００１３】
また、請求項５に記載の発明によれば、請求項１ないし４に記載の発明の効果に加え、把手に水切り手段が設けられているため、収納状態の蓋体の把手内への水滴溜まりが抑えられて把手内の汚れ発生が防止される等、把手を有する蓋体を常に清潔に維持することができる。
【００１４】
さらに、請求項６に記載の風呂蓋の載置構造によれば、浴槽の上縁フランジ上に置かれる風呂蓋を複数の分割状態の蓋体で形成し、少なくとも一つの蓋体の外周端部に指掛け部を有する断面略コ字状の把手を設け、この把手内に他の蓋体の外周端部を嵌入した状態で把手の底面を浴室の所定の平面上に載置するため、把手を手で持つことにより蓋体の浴槽に対する取り外しやセットを容易に行うことができると共に、把手内に各蓋体を収納してその厚みを薄くした状態で例えば浴槽の上縁フランジ上等の浴室内の所定位置にすっきりと載置することができる。
【００１５】
また、請求項７に記載の発明によれば、請求項６に記載の発明の効果に加え、把手や浴室の所定の平面上に各蓋体の転倒防止手段と位置決め手段の少なくとも一方が設けられているため、把手に設けた転倒防止手段により載置された各蓋体の転倒が防止されたり、位置決め手段により浴室の所定位置に各蓋体を載置できて、各蓋体を浴室内の所定位置に安定した状態で載置することができる。
【発明を実施するための最良の形態】
【００１６】
以下、本発明の実施の形態を図面に基づいて詳細に説明する。
図１〜図４は、本発明に係わる風呂蓋に係わり、図１が該風呂蓋をセットした状態の浴室の内部斜視図、図２が風呂蓋のセット前の状態を示す斜視図、図３が風呂蓋の取り外し方法の説明図、図４が風呂蓋のセット状態を示す斜視図及び断面図である。
【００１７】
図１及び図２に示すように、風呂蓋１は、樹脂からなる板状の３枚の蓋体２〜４で構成されている。この各蓋体２〜４は、互いに完全に分割されて、その高さＨと板厚ｔが同一で蓋体２の幅がＷ１で蓋体３、４の幅がＷ２（Ｗ１−ｔ）に設定された平面視長方形状に形成されると共に、各蓋体２〜４を幅方向に密着させて連接した際に、その外形形状が浴槽５の上縁フランジ５ａの平面視形状と略同一に形成されている。この３枚の蓋体２〜４のうちの蓋体２には、その幅方向の一方の外周端部２ａ（下外周端部２ａという）に形成されたＬ字形状の指掛け部６ａにより、断面略コ字状の収納空間を有する把手６が設けられている。
【００１８】
この把手６は、蓋体２の下外周端部２ａの全長に亘って設けられると共にその底面６ｂが平坦に形成され、かつその内部寸法が蓋体３、４の板厚ｔの２倍（２ｔ）かもしくは若干大きく設定されている。なお、前記各蓋体２〜４は、樹脂の射出成形により中実状の板状に形成されるか、あるいは樹脂のブロー成形により中空状に形成され、蓋体２に設けられる把手６は、一体成形もしくは接着等の後付けによって蓋体２に一体化されている。
【００１９】
そして、このように構成された風呂蓋１は、図１及び図３（ａ）に示すように、浴室７の浴槽５の上縁フランジ５ａ上に幅方向に連接させて置かれることによりセット状態とされて、浴槽５の上面開口部を閉塞するようになっている。この時、３枚の連接される蓋体２〜４は、把手６を有する蓋体２が例えば浴槽５の背足方向の一端側（図の左側）に位置するようにして連接される。
【００２０】
このセット状態から、例えば入浴者が入浴しようとして風呂蓋１を取り外す場合は、先ず、図３（ａ）に示す状態から、左側に位置する蓋体２の把手６の指掛け部６ａに矢印イの如く指を掛けて把手６を手で持ち、蓋体２を浴槽５の上縁フランジ５ａ上から取り外す。３枚の蓋体２〜４のうち把手６を有する蓋体２を取り外したら、次に、図３（ｂ）に示すように、中央の蓋体３の開放されている蓋体２側の外周端部３ａ（下外周端部３ａという）に矢印イの如く指を掛けて手で持ち、この蓋体３を取り外す。同様にして右側に位置する蓋体４の開放している外周端部４ａ（下外周端部４ａという）に矢印イの如く指を掛けて手で持ち蓋体４を取り外す。これにより、３枚の蓋体２〜４が浴槽５の上縁フランジ５ａ上から取り外される。この取り外し時には、蓋体２の把手６と開放されている蓋体３、４の下外周端部３ａ、４ａに指を掛けて手で持ち上げることができ、その操作が簡単に行えることになる。
【００２１】
そして、浴槽５の上縁フランジ５ａ上から３枚の蓋体２〜４を取り外したら、図２の二点矢印ロで示すように、蓋体２の把手６の断面コ字状の収納空間内に蓋体３、４の下外周端部３ａ、４ａをそれぞれ嵌入させる。これにより、３枚の蓋体２〜４が、図４（ａ）（ｂ）に示すように重ね合わされた状態となり、この状態で把手６の平坦な底面６ｂを例えば浴槽５の足側の平坦な上縁フランジ５ａ上に載置する。この状態において、３枚の蓋体２〜４が蓋体２の把手６に嵌入されて互いの表裏面が略密着して積層されることから、その板厚方向の厚みが薄くなり、図４（ｂ）に示すように、浴室７内の所定位置である上縁フランジ５ａ上で、壁パネル８側に所定の間隙を有してあるいは壁パネル８に当接した状態で立設され、浴室７内にすっきりと載置することができる。
【００２２】
このように、上記実施形態の風呂蓋１にあっては、風呂蓋１が分割された３枚の蓋体２〜４で形成され、蓋体２の下外周端部２ａに指掛け部６ａを有する把手６を一体的に設けているため、把手６を手で持つことにより浴槽５の上縁フランジ５ａ上に連接させて置かれた３枚の蓋体２〜４のうちの一端側の蓋体２を取り外し、その後他の蓋体３、４のその側方が開放された下外周端部３ａ、４ａを手で持って取り外すことができ、各蓋体２〜４の取り外しや浴槽５へのセット作業を容易に行うことができる。
【００２３】
また、蓋体２に設けられる把手６の収納空間が、他の２枚の蓋体３、４の板厚ｔの合計に略相当する内部寸法の断面コ字状に形成されているため、この把手６内に取り外した他の蓋体３、４の下外周端部３ａ、４ａを嵌入するだけで、３枚の蓋体２〜４の表裏面を略密着してその積層厚さを薄くした状態で収納でき、把手６を介して各蓋体２〜４に安定した収納状態を得ることができると共に、各蓋体２〜４を浴室７内の上縁フランジ５ａ上の壁パネル８側に見栄え良くすっきりと載置することができる。
【００２４】
また、蓋体２の把手６の平坦な底面６ｂが浴槽５の上縁フランジ５ａの平坦な面上に載置されるため、従来のように載置位置が特定されることがなくなり、例えば浴槽５の上縁フランジ５ａの他の位置や、図１に示す洗い場９の片隅やカウンター１０上等の浴室７内の所望の平坦な面上に載置することができる。また同時に、入浴時は勿論のこと、例えば浴室７の清掃時に各蓋体２〜４を邪魔にならない適宜位置に移動させその外形形状をコンパクトにした状態で載置等（一時保管）して清掃でき、これらのことから、使い勝手に優れた風呂蓋１を得ることが可能となる。
【００２５】
さらに、蓋体３、４の下外周端部３ａ、４ａが把手６内に嵌入されて各蓋体２〜４の表裏面が略密着した状態で収納されるため、入浴者の動作による振動等により各蓋体２〜４が崩れることがなくなると共に、例えばジェットバス等の振動により各蓋体２〜４が振動して異音を発生することもなくなる等、快適な入浴が可能となる。また、把手６が蓋体２の下外周端部２ａに一体成形等により形成されるため、蓋体２〜４自体の成形が容易に行える等、各蓋体２〜４の部材コストを抑えて、安価な風呂蓋１を得ることができる。
【００２６】
図５〜図９は、本発明に係わる風呂蓋の変形例を示している。以下、上記実施形態と同一部位には同一符号を付して説明する。以下の他の実施形態においても同様である。先ず、図５に示す風呂蓋１の特徴は、把手６が設けられる蓋体２に、嵌入された他の蓋体３、４の側方や上方への移動を規制して保持する保持部１１（保持手段）を設けた点にある。すなわち、図５（ａ）に示す蓋体２は、把手６が設けられる下外周端部２ａと直交する左右の外周端部２ｂ（左右外周端部２ｂという）で反把手６側にＬ字形状の保持部１１をそれぞれ一体成形する。また、図５（ｂ）に示す蓋体２は、把手６が設けられる下外周端部２ａと直交する左右外周端部２ｂの下端で把手６の両端部に連続する状態で保持部１１を一体成形し、把手６を箱状に形成する。
【００２７】
さらに、図５（ｃ）に示す蓋体２は、把手６が設けられる下外周端部２ａと反対側の外周端部２ｃ（上外周端部２ｃという）に、把手６と略同じ形状の保持部１１を上下対称に一体成形すると共に、把手６に指掛け用の開口１２を設ける。なお、図５（ｃ）に示す保持部１１は、上外周端部２ｃと左右外周端部２ｂの少なくとも一つに設ける構成とすることができる。これらの例の蓋体２においても、蓋体２の把手６の収納空間内に他の２枚の蓋体３、４を収納できて、上記実施形態と同様の作用効果が得られる他に、保持部１１により収納された蓋体３、４の横方向（側方）や上方向への移動が規制された安定した収納状態が得られることになる。また、図５（ｃ）の蓋体２の場合には、開口１２により把手６と保持部１１を識別できると共に開口１２により把手６が持ち易くなり、その使い勝手が一層向上するという作用効果も得られる。
【００２８】
また、図６に示す風呂蓋１の特徴は、蓋体２の把手６の底壁内面に水切り手段としての凹凸部１３を設けた点にある。この凹凸部１３は、２枚の蓋体３、４を嵌入することにより各蓋体２〜４に付着した水滴を把手６の開口している側方から上縁フランジ５ａ上に流すように形成されている。この例の蓋体２によれば、各蓋体２〜４の収納時に、蓋体２の把手６内における水滴溜まりを抑制できて、把手６の汚れが抑えられて常に清潔な蓋体２を得ること等ができる。この例の場合の水切り手段としては凹凸部１３に限らず、図の二点鎖線ａで示すように、把手６の底壁を貫通する水切り孔１３ａで形成して、把手６内の水滴を上縁フランジ５上に流すようにしても良い。
【００２９】
さらに、図７に示す風呂蓋１の特徴は、蓋体２の把手６に転倒防止突起１４（転倒防止手段）を設けた点にある。すなわち、図７（ａ）に示す蓋体２は、把手６の先端側に下方に所定寸法突出した転倒防止突起１４を一体成形し、この突起１４の先端（下端）と把手６の後端部とを例えば上縁フランジ５ａ上に載置することで、蓋体２が斜めの状態で立て掛けられてその上外周端部２ｃが壁パネル８に当接される。また、図７（ｂ）に示す蓋体２は、把手６の先端部に前方に向けて所定寸法突出した転倒防止突起１４を一体成形し、把手６の底面６ａの幅を大きくして上縁フランジ５ａ上への設置面積を広く設定する。これらの例の蓋体２によれば、収納状態の３枚の蓋体２〜４を上縁フランジ５ａ上に、矢印ニ方向への転倒を防止し、一層安定した状態で載置することができる。
【００３０】
また、図８に示す風呂蓋１の特徴は、３枚の蓋体２〜４の下外周端部２ａ〜４ａに断面コ字状の把手６をそれぞれ設けると共に、各把手６の大きさを順に異ならせるようにした点にある。すなわち、蓋体２の下外周端部２ａに蓋体３の把手６Ｂが嵌入し得る把手６Ａを設け、蓋体３の下外周端部３ａに蓋体４の把手６Ｃが嵌入し得る把手６Ｂを設ける。これにより、図８（ａ）に示すように、各蓋体２〜４に把手６Ａ〜６Ｃが設けられて浴槽５の上縁フランジ５ａ上にセットされ、その取り外しやセット作業が一層容易に行えると共に、取り外した各蓋体２〜４を図８（ｂ）に示す状態にして収納することができて、上記実施形態と同様の作用効果を得ることができる。また、この例の場合は、把手６Ａ〜６Ｃにより各蓋体２〜４の表裏が容易に識別でき、特に浴槽５の上縁フランジ５ａの平面視形状が後述するように異形形状の場合に向きが特定されてその使い勝手が向上すると共に、把手６Ａ〜６Ｃにより蓋体２〜４自体の剛性アップを図ることもできる。
【００３１】
さらにまた、図９に示す風呂蓋１の特徴は、収納状態の各蓋体２〜４を例えば浴槽５の上縁フランジ５ａに設けた位置決め手段を介して載置するようにした点にある。すなわち、図９（ａ）に示すように、蓋体２の把手６の底面６ｂに凹部１５（もしくは凹溝）を設け、この凹部１５を例えば上縁フランジ５ａの所定位置に設けた凸部１６（もしくは凸条）に嵌入させる。この凹部１５と凸部１６とにより前記位置決め手段が形成されて各蓋体２〜４が所定位置に載置されると共に、把手６に設けられる凹部１５の代わりに貫通孔１７を使用することにより、把手６内の水滴が凸部１６上に流れ落ちて、把手６内への水滴溜まりが抑制されることになる。
【００３２】
また、図９（ｂ）に示すように、浴槽５の上縁フランジ５ａの所定位置に位置決め手段としての凹溝１８を形成し、この凹溝１８内に蓋体２の把手６の底面６ｂ側を嵌入する。この時、凹溝１８は上縁フランジ５ａの上面からバスタブエプロン側に開口して、凹溝１８内の水滴が洗い場９上に流れ落ちるように設定されている。これらの例の風呂蓋１によれば、位置決め手段により収納状態の各蓋体２〜４を、矢印ホに示す水平方向への移動を規制した状態で所定位置に確実かつ安定して載置することができると共に、凹溝１８を水切り用に使用すること等により、各蓋体２〜４から流れ落ちる水滴等を例えば洗い場９に自動的に流すことができて、各蓋体２〜４やこれらが収納される上縁フランジ５ａ部分の清潔さを一層良好に維持することができる。
【００３３】
ところで、以上の実施形態においては、３枚の蓋体２〜４を浴槽５の上縁フランジ５ａの平面形状と略合致するように互いに同一形状の長方形状に形成したが、例えば浴槽５の上縁フランジ５ａの平面視形状が図１０に示すように、半身浴側が幅狭に形成された異形形状の場合は、３枚の蓋体２〜４を略同一幅で洗い場９側の形状が上縁フランジ５ａの異形形状に略合致する異形形状に形成、すなわち３枚の蓋体２〜４の外形形状を全て異なるように形成しても良い。
【００３４】
この実施形態の場合は、３枚の蓋体２〜４のうち高さＨが一番高い蓋体２の下外周端部２ａに把手６を設けることで、この把手６内に該把手６の長さより短い高さＨを有する他の蓋体３、４を安定収納できることになる。この形状の風呂蓋１においても、各蓋体２〜４の形状により置く位置が特定されるものの、蓋体２の把手６内に他の蓋体３、４の下外周端部３ａ、４ａを嵌入して収納できて、従来すっきりと収納することが困難であった異形形状の風呂蓋１であっても良好に収納でき、上記実施形態と同様の作用効果を得ることができる。
【００３５】
また、上記実施形態においては、風呂蓋１の３枚の蓋体２〜４が完全に分割されている例について説明したが、本発明は例えば図１１（ａ）に示すような分割状態の風呂蓋２１にも適用できる。すなわち、この風呂蓋２１は、複数枚に分割されたそれぞれ長尺状の蓋体２２と、この蓋体２２の幅方向の両端部を交互に連結する屈曲可能な連結部２３とを備え、各連結部２３を図の矢印ハの如く屈曲させることにより折り畳み可能に構成されている。そして、図１１（ｂ）に示すように、各屈曲部２３を屈曲させて各蓋体２２を折り畳み、その所定の蓋体２２の外周端部２２ａを、前記下外周端部としての一端側に把手２４が設けられた蓋体２２の把手２４内に順に嵌入することにより収納状態とされる。
【００３６】
この実施形態の風呂蓋２１においても、折り畳んだ蓋体２２の外周端部２２ａを一端側の蓋体２２の把手２４内に嵌入して収納できて、上記実施形態と同様の作用効果が得られる他に、各蓋体２２が連結部２３で連結されていることから、各蓋体２２の位置合わせ等が不要となり、風呂蓋２１の使い勝手を一層向上させることができる。この例の風呂蓋２１の変形例としては、図示はしないが、例えば屈曲可能に連結された分割状態の各蓋体を一端側に向けて丸める状態で畳む形態のものにも適用できる。この場合は、把手が設けられる蓋体と反対側の蓋体の外周端部やあるいはこの外周端部と丸められた中間部の蓋体が、把手内に嵌入された状態で収納される構造とすれば良い。
【００３７】
なお、本発明は上記した各実施形態や各変形例のそれぞれに限定されるものでもなく、例えば図５（ｃ）に示す開口１２や図６に示す水切り用の凹凸部１３、或いは保持部１１を他の変形例や他の実施形態の把手６の適宜位置に設ける等、各変形例や各実施形態の全部もしくは一部を適宜に組み合わせることもできる。また、上記各実施形態においては、把手６を蓋体２の下外周端部２ａの全長に亘って設けたが、例えば下外周端部２ａの中央部分に所定長さ設けたり把手６を複数に分割した状態で設けることもできる。さらに、上記各実施形態における風呂蓋の全体形状、蓋体の分割数やその形状、把手自体の断面形状、浴槽の上縁フランジ形状等も一例であって、本発明に係わる各発明の要旨を逸脱しない範囲において適宜に変更することができる。
【産業上の利用可能性】
【００３８】
本発明は、一般家庭のシステムバスルーム等の浴室に用いられる浴槽の風呂蓋に限らず、ホテル等の各種浴室の浴槽に用いられる風呂蓋にも適用できる。
【図面の簡単な説明】
【００３９】
【図１】本発明に係わる風呂蓋を採用した浴槽を示す斜視図
【図２】同その風呂蓋の収納前の状態を示す斜視図
【図３】同風呂蓋の浴槽に対する取り外し方法の説明図
【図４】同風呂蓋の収納状態の斜視図及び断面図
【図５】同風呂蓋の各変形例を示す斜視図
【図６】同風呂蓋の他の変形例を示す側面図
【図７】同風呂蓋のさらに他の変形例を示す収納状態の側面図
【図８】同風呂蓋のさらに他の変形例を示すセット状態の説明図及び収納状態の側面図
【図９】同風呂蓋の他の収納状態を示す断面図
【図１０】本発明に係わる風呂蓋の他の実施形態を示す平面図
【図１１】本発明に係わる風呂蓋のさらに他の実施形態を示す斜視図及び収納状態の側面図
【符号の説明】
【００４０】
１・・・風呂蓋、２〜４・・・蓋体、２ａ〜４ａ・・・下外周端部、２ｂ・・・左右外周端部、２ｃ・・・上外周端部、５・・浴槽、５ａ・・・上縁フランジ、６・・・把手、６ａ・・・指掛け部、６ｂ・・・底面、６Ａ〜６Ｃ・・・把手、７・・・浴室、１１・・・保持部、１２・・・開口、１３・・・凹凸部、１３ａ・・・水切り孔、１４・・・転倒防止突起、１５・・・凹部、１６・・・凸部、１７・・・貫通孔、１８・・・凹溝、２１・・・風呂蓋、２２・・・蓋体、２２ａ・・・外周端部、２３・・・連結部、２４・・・把手。
【図１】
2006149908.tif 000003
【図２】
2006149908.tif 000004
【図３】
2006149908.tif 000005
【図４】
2006149908.tif 000006
【図５】
2006149908.tif 000007
【図６】
2006149908.tif 000008
【図７】
2006149908.tif 000009
【図８】
2006149908.tif 000010
【図９】
2006149908.tif 000011
【図１０】
2006149908.tif 000012
【図１１】
2006149908.tif 000013